(57)【特許請求の範囲】
【請求項１】
開口を有する本体と、
前記本体に設けられ、第１位置決めユニットと、第２位置決めユニットとを有し、前記第１位置決めユニットと前記第２位置決めユニットは、いずれも、第１エリアと、第２エリアと、第３エリアと、を含み、前記第２エリアの高さが前記第１エリアの高さより高く、かつ前記第３エリアの高さより低い固定板と、
前記本体の前記開口に移動可能に設けられ、かつ、前記固定板の一側に位置する遮蔽板と、
前記遮蔽板に選択的に接続され、一端が前記本体に移動可能に設けられ、他端が前記固定板に移動可能に設けられる第１軸体と、
前記遮蔽板に選択的に接続され、一端が前記本体に移動可能に設けられ、他端が前記固定板に移動可能に設けられる第２軸体と、
第１当接部を有し、回転自在に貫通して前記固定板に設けられる第１回転部材と、
第１ギヤーと、
前記本体に設けられ、かつ、前記第１回転部材と前記第１ギヤーに接続することにより、前記第１回転部材と前記第１ギヤーを駆動回転させる、駆動部材と、
前記駆動部材と前記第１ギヤーとの間に当接される弾性部材と、
第２当接部を有し、回転自在に貫通して前記固定板に設けられる第２回転部材と、
前記第２回転部材に接続されると共に前記第１ギヤーと噛み合う第２ギヤーと、を備え、前記駆動部材が前記第１ギヤーと前記第２ギヤーを介し前記第２回転部材を駆動して回転させる空調装置であって、
前記第１当接部が前記第１位置決めユニットの前記第２エリア内に当接され、かつ、前記第２当接部が前記第２位置決めユニットの前記第２エリア内に当接される場合に、前記第１回転部材と前記第２回転部材が、前記第１軸体と前記第２軸体にそれぞれ固定され、前記第１軸体と前記第２軸体が前記遮蔽板に接続されると共に、前記遮蔽板が前記開口を遮蔽し、
前記第１当接部が前記第１位置決めユニットの前記第１エリア内に当接され、かつ、前記第２当接部が前記第２位置決めユニットの前記第３エリア内に当接される場合に、前記第２回転部材が前記第２軸体から離脱し、前記第１回転部材が前記第１軸体に固定され、前記第１軸体が前記遮蔽板に接続されると共に、第１方向に沿って前記遮蔽板を連動回転させ前記開口を露出させ、
前記第１当接部が前記第１位置決めユニットの前記第３エリア内に当接され、かつ、前記第２当接部が前記第２位置決めユニットの前記第１エリア内に当接される場合に、前記第１回転部材が前記第１軸体から離脱し、前記第２回転部材が前記第２軸体に固定され、前記第２軸体が前記遮蔽板に接続されると共に、第２方向に沿って前記遮蔽板を連動回転させ前記開口を露出させる、ことを特徴とする空調装置。
【請求項２】
さらに、二つの第３ギヤーを備え、前記二つの第３ギヤーが互いに噛み合い、かつ、前記第１ギヤーと前記第２ギヤーにそれぞれ噛み合う、ことを特徴とする請求項１に記載の空調装置。
【請求項３】
さらに、前記本体が第１受容孔と第２受容孔を有し、前記固定板が第１受容部と、第２受容部と、を有し、前記第１軸体は、一端が前記第１受容孔に移動可能に設けられ、かつ、他端が前記第１受容部に移動可能に設けられ、前記第２軸体は、一端が前記第２受容孔に移動可能に設けられ、かつ、他端が前記第２受容部に移動可能に設けられる、ことを特徴とする請求項１に記載の空調装置。
【請求項４】
さらに、前記第１回転部材が第１接続部を有し、前記第２回転部材が第２接続部をさらに有し、前記遮蔽板が、複数の第３受容孔と、複数の第４受容孔と、複数の第１弾性部と、複数の第２弾性部と、を有し、前記複数の第１弾性部が、前記複数の第３受容孔内にそれぞれ設けられ、前記複数の第２弾性部が、前記複数の第４受容孔内にそれぞれ設けられ、前記第１軸体が複数の第１挿入ロッドを有し、前記第２軸体が複数の第２挿入ロッドを有し、前記第１接続部が前記第１軸体の前記他端に固定されると共に、前記複数の第１挿入ロッドを押し動かして前記複数の第３受容孔にそれぞれ進入し、かつ、前記複数の第１弾性部にそれぞれ当接され、前記第２接続部が前記第２軸体の前記他端に固定されると共に、前記複数の第２挿入ロッドを押し動かして前記複数の第４受容孔にそれぞれ進入し、かつ、前記複数の第２弾性部にそれぞれ当接される、ことを特徴とする請求項３に記載の空調装置。
【請求項５】
前記固定板は、その配置方向が前記遮蔽板の配置方向と直交状態に配置される、ことを特徴とする請求項１に記載の空調装置。
【請求項６】
前記弾性部材は、バネである、ことを特徴とする請求項１に記載の空調装置。
【請求項７】
前記駆動部材は、電動機である、ことを特徴とする請求項１に記載の空調装置。
【請求項８】
前記第２回転部材が前記第２軸体から離脱し、かつ、前記第１回転部材が前記第１軸体に固定される場合に、前記第１回転部材が前記第１方向に沿って前記遮蔽板を連動回転させる範囲は、０〜９０度である、ことを特徴とする請求項１に記載の空調装置。
【請求項９】
前記第１回転部材が前記第１軸体から離脱し、かつ、前記第２回転部材が前記第２軸体に固定される場合に、前記第２回転部材が前記第２方向に沿って前記遮蔽板を連動回転させる範囲は、０〜４５度である、ことを特徴とする請求項１に記載の空調装置。
【請求項１０】
前記第１方向と前記第２方向は、互いに逆方向である、ことを特徴とする請求項１に記載の空調装置。
【発明の詳細な説明】
【技術分野】
【０００１】
本発明は、空調装置に関し、特に、二つの軸体を切り替えることにより吹出口を調節する空調装置に関する。
【背景技術】
【０００２】
現在、空調は日常生活に広く使用されている。空気の熱膨張効果によって、暖かい空気は冷たい空気に比べて密度が小さく、比重も小さいため、暖かい空気は上昇し、冷たい空気は下降する。従って、室温を高めようとする場合、空調が下に向かって温風を送り、温風の上昇によって冷気が排除されることによって、全体的に室温を上昇させる。一方、室温を下げようとする場合、空調が上に向かって冷風を送り、暖かい空気が排除されることによって、全体的に室温を下げる。
【発明の概要】
【発明が解決しようとする課題】
【０００３】
しかしながら、現在使われている空調は、吹出口板に設けられた中間回転軸のみによって送風方向を調整するため、温風や冷風を吹き出す際に、温風や冷風が漏洩するという問題点があり、空調の効率を低下させるという欠点があった。したがって、本発明は、従来の技術が有する欠点を改善する空調装置を提供することを課題とする。
【０００４】
本発明は、上記従来技術の欠点を解決するためになされたものであり、従来の技術を改善し、二つの軸体を切り替えることにより吹出口を調節する空調装置を提供することを目的とする。
【課題を解決するための手段】
【０００５】
本発明に係わる空調装置は、本体と、固定板と、遮蔽板と、第１軸体と、第２軸体と、第１回転部材と、第１ギヤーと、駆動部材と、弾性部材と、第２回転部材と、第２ギヤーと、を備える。本体は、開口を有する。固定板は、本体に設けられ、第１位置決めユニットと第２位置決めユニットとを有する。第１位置決めユニットと第２位置決めユニットは、共に第１エリアと、第２エリアと、第３エリアとを含み、第２エリアの高さが第１エリアの高さより高く、かつ第３エリアの高さより低い。遮蔽板は、本体の開口に移動可能に設けられ、かつ、固定板の一側に位置する。第１軸体は、一端が本体に移動可能に設けられ、他端が固定板に移動可能に設けられる。第１軸体は、遮蔽板に選択的に接続される。第２軸体は、一端が前記本体に移動可能に設けられ、他端が前記固定板に移動可能に設けられる。第２軸体は、遮蔽板に選択的に接続される。第１回転部材は、第１当接部を有し、固定板を回転自在に貫通して設けられる。駆動部材は、本体に設けられ、かつ、第１回転部材と第１ギヤーに接続することにより、第１回転部材と第１ギヤーを駆動回転させる。弾性部材は、駆動部材と第１ギヤーとの間に弾接される。第２回転部材は、第２当接部を有し、回転自在に貫通して固定板に設けられる。第２ギヤーは、第２回転部材に接続されると共に、第１ギヤーと噛み合い、駆動部材が第１ギヤーと第２ギヤーを介して、第２回転部材を駆動して回転させる。第１当接部が第１位置決めユニットの第２エリア内に当接され、かつ、第２当接部が第２位置決めユニットの第２エリア内に当接される場合に、第１回転部材と第２回転部材が第１軸体と第２軸体にそれぞれ固定され、第１軸体と第２軸体が遮蔽板に接続され、かつ、遮蔽板が開口を遮蔽する。第１当接部が第１位置決めユニットの第１エリア内に当接され、かつ、第２当接部が第２位置決めユニットの第３エリア内に当接される場合に、第２回転部材が第２軸体から離脱し、第１回転部材第１軸体に固定され、第１軸体が遮蔽板に接続されると共に、第１方向に沿って、遮蔽板を連動回転させ開口を露出させる。第１当接部が第１位置決めユニットの第３エリア内に当接され、かつ、第２当接部が第２位置決めユニットの第１エリア内に当接される場合に、第１回転部材が第１軸体から離脱し、第２回転部材が第２軸体に固定され、第２軸体が遮蔽板に接続されると共に、第２方向に沿って、遮蔽板を連動回転させ開口を露出させる。
【０００６】
本発明の好適な実施例において、空調装置は、さらに二つの第３ギヤーを備える。前記二つの第３ギヤーが、互いに噛み合い、かつ、前記複数の第３ギヤーが第１ギヤーと第２ギヤーにそれぞれ噛み合う。
【０００７】
本発明の好適な実施例において、本体が、さらに第１受容孔と第２受容孔を有し、固定板が第１受容部と第２受容部を有する。第１軸体は、一端が第１受容孔に移動可能に設けられ、他端が第１受容部に移動可能に設けられる。第２軸体は、一端が第２受容孔に移動可能に設けられ、他端が第２受容部に移動可能に設けられる。
【０００８】
本発明の好適な実施例において、第１回転部材は、さらに第１接続部を有し、第２回転部材は、さらに、第２接続部を有する。遮蔽板は、複数の第３受容孔と、複数の第４受容孔と、複数の第１弾性部と、複数の第２弾性部を有する。前記複数の第１弾性部は、前記複数の第３受容孔内にそれぞれ設けられ、前記複数の第２弾性部は、前記複数の第４受容孔内にそれぞれ設けられる。第１軸体は、複数の第１挿入ロッドを有し、第２軸体は、複数の第２挿入ロッドを有する。第１接続部は、第１軸体の他端に固定されると共に、前記複数の第１挿入ロッドを押し動かして、前記複数の第３受容孔にそれぞれ進入し、かつ、前記複数の第１弾性部にそれぞれ当接される。第２接続部は、第２軸体の他端に固定されると共に、前記複数の第２挿入ロッドにそれぞれ進入し、かつ、前記複数の第２弾性部にそれぞれ当接される。
【０００９】
本発明の好適な実施例において、固定板は、その配置方向が遮蔽板の配置方向に対し垂直状態となる。
【００１０】
本発明の好適な実施例において、弾性部材は、バネである。
【００１１】
本発明の好適な実施例において、駆動部材は、電動機である。
【００１２】
本発明の好適な実施例において、第２回転部材が第２軸体から離脱し、かつ、第１回転部材が第１軸体に固定される場合に、第１回転部材が第１方向に沿って遮蔽板を連動回転させる範囲は、０〜９０度である。
【００１３】
本発明の好適な実施例において、第１回転部材が第１軸体から離脱し、かつ、第２回転部材が第２軸体に固定される場合に、第２回転部材が第２方向に沿って遮蔽板を連動回転させる範囲は、０〜４５度である。
【００１４】
本発明の好適な実施例において、第１方向と第２方向は、互いに逆方向である。
【００１５】
このように、本発明に係わる空調装置は、第１ギヤーと第２ギヤーが第１方向または第２方向に沿ってそれぞれ遮蔽板を連動回転させることによって、空調装置が暖房運転モード時と冷房運転モード時に異なる送風方向と送風角度を有する。このため、遮蔽板の送風過程における漏洩を回避すると共に、空調装置の暖房運転モード時と冷房運転モード時の効率を向上させる。
【発明の効果】
【００１６】
本発明に係わる空調装置は、第１ギヤーと第２ギヤーが第１方向または第２方向に沿ってそれぞれ遮蔽板を連動回転させることによって、空調装置が暖房運転モード時と冷房運転モード時に異なる送風方向と送風角度を有する。このため、遮蔽板の送風過程における漏洩を回避すると共に、空調装置の暖房運転モード時と冷房運転モード時の効率を向上させる。
【図面の簡単な説明】
【００１７】
【図１】本発明の好適な実施例における空調装置を示す斜視図である。
【図２】図１の領域Rを示す拡大図である。
【図３】図１の領域Rの一部を示す斜視図である。
【図４】本発明の好適な実施例における空調装置の部分の動作を示す斜視図である。
【発明を実施するための形態】
【００１８】
以下、図面を参照しながら、本発明の好適な実施例における空調装置について説明する。
【００１９】
図１は、本発明の好適な実施例における空調装置を示す斜視図である。図２は、図１の領域Rを示す拡大図である。図３は、図１の領域Rの一部を示す斜視図である。以下、図１、図２及び図３を参照しながら、本発明の好適な実施例を説明する。
【００２０】
本実施例に係る空調装置１０は、本体１００と、遮蔽板１０１と、固定板１０２と、第１軸体１０３と、第２軸体１０４と、第１回転部材１０５と、第２回転部材１０６と、第１ギヤー１０７と、第２ギヤー１０８と、二つの第３ギヤー１０９、１１０と、駆動部材１１１と、弾性部材１１２と、を備える。
【００２１】
本実施例において、図１に示すように、本体１００は、開口１０００を有する。固定板１０２は、本体１００に設けられる。遮蔽板１０１は、本体１００の開口１０００に移動可能に設けられると共に、固定板１０２の一側に位置する。具体的には、遮蔽板１０１は、固定板１０２を遮蔽することにより、固定板１０２を開口１０００内に遮蔽する。また、第１軸体１０３は、一端が本体１００に移動可能に設けられ、他端が固定板１０２に移動可能に設けられる。同様に、第２軸体１０４は、一端が本体１００に移動可能に設けられ、他端が固定板１０２に移動可能に設けられる。第１回転部材１０５と第２回転部材１０６は、それぞれ固定板１０２を回転自在に貫通して設けられる。駆動部材１１１は、本体１００に設けられると共に、第１回転部材１０５に接続される。第１ギヤー１０７は、駆動部材１１１に接続される。弾性部材１１２は、駆動部材１１１と第１ギヤー１０７との間に弾接される。第２ギヤー１０８は、第２回転部材１０４に接続される。第３ギヤー１０９、１１０は、互いに噛み合うと共に、第１ギヤー１０７と第２ギヤー１０８にそれぞれ噛み合う。これにより、第１ギヤー１０７と第２ギヤー１０８を間接的に噛み合わせることを実現する。
【００２２】
本実施例において、図１に示すように、本体１００は、さらに、第１受容孔１００１と、第２受容孔１００２を有する。図２に示すように、固定板１０２は、第１受容部１０２１と、第２受容部１０２２を有する。第１軸体１０３は、一端が本体１００の第１受容孔１００１内に、他端が固定板１０２の第１受容部１０２１内に移動可能に設けられる。第２軸体１０４は、一端が本体１００の第２受容孔１００２内に移動可能に設けられ、他端が固定板１０２の第２受容部１０２２内に移動可能に設けられる。すなわち、第１軸体１０３と第２軸体１０４は、それぞれその長さ方向に沿って往復移動することができる。ここで、第１受容部１０２１と第２受容部１０２２は、例えば、固定板１０２に突設される中空突部である。さらに、第１受容孔１００１と第２受容孔１００２との位置と、第１受容部１０２１と第２受容部１０２２との位置は、それぞれ第１軸体１０３と第２軸体１０４の位置に対応する。
【００２３】
本実施例において、図１と図３に示すように、遮蔽板１０１は、複数の第３受容孔１０１１と、複数の第４受容孔１０１２と、複数の第１弾性部１０１３と、複数の第２弾性部１０１４を有する。第１弾性部１０１３は、それぞれ第３受容孔１０１１内に設けられ、第２弾性部１０１４は、それぞれ第４受容孔１０１２内に設けられる。ここで、第３受容孔１０１１と、第４受容孔１０１２と、第１弾性部１０１３と、第２弾性部１０１４の数は、いずれも三つであるが、本発明はこれに限定されない。第３受容孔１０１１と第４受容孔１０１２は、遮蔽板１０１の両側に平均的に分布される。なお、第１弾性部１０１３と第２弾性部１０１４は、バネであるが、本発明はこれに限定されない。他の実施例において、第１弾性部１０１３と第２弾性部１０１４は、例えば弾性シートであってもよい。
【００２４】
本実施例において、図１と図２に示すように、第１軸体１０３は、複数の第１挿入ロッド１０３１を有し、第２軸体１０４は、複数の第２挿入ロッド１０４１を有する。ここで、第１挿入ロッド１０３１と第２挿入ロッド１０４１の数は、いずれも三つであるが、これに限らず、第１挿入ロッド１０３１と第２挿入ロッド１０４１の数がそれぞれ第３受容孔１０１１と第４受容孔１０１２の数に一致すれば、どうな数でもよい。第１挿入ロッド１０３１は、遮蔽板１０１の第３受容孔１０１１にそれぞれ対応すると共に、第３受容孔１０１１にそれぞれ進入することができる。第２挿入ロッド１０４１は、それぞれ遮蔽板１０１の第４受容孔１０１２にそれぞれ対応すると共に、第４受容孔１０１２にそれぞれ進入することができる。なお、第１軸体１０３の第１挿入ロッド１０３１は、第３受容孔１０１１内にそれぞれ位置する場合に、第１弾性部１０１３にそれぞれ当接される。第２軸体１０４の第２挿入ロッド１０４１は、第４受容孔１０１２内にそれぞれ位置する場合に、第２弾性部１０１４にそれぞれ当接される。これにより、外力が消えると、第１軸体１０３の第１挿入ロッド１０３１と第２軸体１０４の第２挿入ロッド１０４１は、第１弾性部１０１３と第２弾性部１０１４の作用で、第３受容孔１０１１と第４受容孔１０１２からそれぞれ退出する。
【００２５】
なお、本実施例において、第１軸体１０３の第１挿入ロッド１０３１と第２軸体１０４の第２挿入ロッド１０４１は、遮蔽板１０１の第３受容孔１０１１と第４受容孔１０１２にそれぞれ進入または退出する過程中、第１軸体１０３の両端が本体１００の第１受容孔１００１と固定板１０２の第１受容部１０２１から離脱しない。同様に、第２軸体１０４の両端も、本体１００の第２受容孔１００２と固定板１０２の第２受容部１０２２から離脱することはない。これにより、第１軸体１０３と第２軸体１０４が本体１００から離脱することを回避する。
【００２６】
本実施例において、図１に示すように、固定板１０２と遮蔽板１０１は、共に平板状で、かつ、固定板１０２の配置方向は、遮蔽板１０１の配置方向と直交状態に配置される。しかしながら、本発明は、これに限らず、図３に示すように、固定板１０２は、さらに二つの貫通孔１０２０と、第１位置決めユニット１０２３と、第２位置決めユニット１０２４とを有する。ここで、二つの貫通孔１０２０は、第１受容部１０２１と第２受容部１０２２の中心にそれぞれ対応する。第１位置決めユニット１０２３と第２位置決めユニット１０２４及び第１受容部１０２１と第２受容部１０２２は、固定板１０２の二つの対向表面にそれぞれ設けられる。
【００２７】
本実施例において、図３に示すように、第１位置決めユニット１０２３は、第１エリア１０２３aと、第２エリア１０２３bと、第３エリア１０２３cを含み、第２位置決めユニット１０２４は、第１エリア１０２４aと、第２エリア１０２４bと、第３エリア１０２４cを含む。このうち、第１位置決めユニット１０２３の第２エリア１０２３bの高さは、第１エリア１０２３aの高さより高く、第３エリア１０２３cの高さより低い。第２位置決めユニット１０２４の第２エリア１０２４bの高さは、第１エリア１０２４aの高さよりより高く、第３エリア１０２４cの高さより低い。ここで、第１エリア１０２３a、１０２４aは、固定板１０２の表面であることが好ましく、第２エリア１０２３b、１０２４bと第３エリア１０２３c、１０２４cは、固定板１０２表面に突出する突出物であることが好ましい。さらに、第１位置決めユニット１０２３と第２位置決めユニット１０２４の数は、共に二つである。しかも、二つの第１位置決めユニット１０２３は、一つの貫通孔１０２０を中心として対称に設けられるが、二つの第２位置決めユニット１０２４は、もう一つの貫通孔１０２０を中心として対称に設けられる。しかし、本発明は、これに限定されない。他の実施例において、一つの第１位置決めユニット１０２３と一つの第２位置決めユニット１０２４をのみ有することもでき、それに、第１位置決めユニット１０２３と第２位置決めユニット１０２４が連続的な曲面を呈する。
【００２８】
本実施例において、図３に示すように、第１回転部材１０５は、貫通孔１０５１と、第１当接部１０５２と、第１接続部１０５３と、を有する。第２回転部材１０６は、突部１０６１と、第２当接部１０６２と、第２接続部１０６３を有する。このうち、第１回転部材１０５の第１接続部１０５３と第２回転部材１０６の第２接続部１０６３は、固定板１０２の貫通孔１０２０にそれぞれ貫通すると共に、第１受容部１０２１と第２受容部１０２２内に第１軸体１０３と第２軸体１０４に対応する一端にそれぞれ固定することができる。具体的には、第１接続部１０５３と第２接続部１０６３は、それぞれ相互係合により、第１軸体１０３と第２軸体１０４に対応する一端に固定することができる。しかしながら、本発明は、これに限定されない。第１回転部材１０５の第１当接部１０５２は、固定板１０２の第１位置決めユニット１０２３に当接され、第２回転部材１０６の第２当接部１０６２は、固定板１０２の第２位置決めユニット１０２４に当接される。ここで、第１回転部材１０５はT字形で、第２回転部材１０６は十字形であるが、本発明はこれに限定されない。
【００２９】
第１回転部材１０５の回転過程を例とすると、第１回転部材１０５が回転すると、第１当接部１０５２が固定板１０２の第１位置決めユニット１０２３での位置を変更することにより、第１回転部材１０５がを貫通孔１０２０を貫通する長さを変化させる。本実施例において、第１当接部１０５２が第１位置決めユニット１０２３の第１エリア１０２３aと第２エリア１０２３b内に当接される場合に、第１回転部材１０５は、第１受容部１０２１内で第１軸体１０３に対応した一端に固定される。具体的には、図２と図３に示すように、第１接続部１０５３が第１受容部１０２１に進入することにより、第１受容部１０２１内に位置する第１軸体１０３を押し動かして、第１軸体１０３に対応した一端に固定される。同時に、第１軸体１０３の第１挿入ロッド１０３１は、第１接続部１０５３の押圧により、遮蔽板１０１の第３受容孔１０１１内に進入すると共に第１弾性部１０１３に当接する。第１当接部１０５２は、第１位置決めユニット１０２３の第３エリア１０２３c内に当接されると、第１接続部１０５３は第１受容部１０２１内に位置する第１軸体１０３から離脱する。第１軸体１０３の第１挿入ロッド１０３１は、第１弾性部１０１３の弾力作用で、第３受容孔１０１１から退出することにより、第１軸体１０３と遮蔽板１０１との離脱を実現する。
【００３０】
このうち、第１当接部１０５２と第２当接部１０６２を、第１位置決めユニット１０２３と第２位置決めユニット１０２４の三つエリア内でそれぞれ順調に移動させるために、第１位置決めユニット１０２３と第２位置決めユニット１０２４の三つエリア間は斜面で接続し、かつ、第１当接部１０５２と第１位置決めユニット１０２３の接触面、及び第２当接部１０６２と第２位置決めユニット１０２４の接触面は、共に円弧面を呈する。しかし、本発明これに限定されない。
【００３１】
本実施例において、図３に示すように、駆動部材１１１は、ロッド体１１１０を有する。第１ギヤー１０７は、貫通孔１０７０を有する。ロッド体１１１０は、第１ギヤー１０７の貫通孔１０７０を貫通すると共に、第１回転部材１０５の貫通孔１０５１に位置する。さらに、弾性部材１１２は、ロッド体１１１０に取り付けられると共に、第１ギヤー１０７と駆動部材１１１との間に弾接される。第２ギヤー１０８は、貫通孔１０８０を有する。第２回転部材１０６の突部１０６１は、第２ギヤー１０８の貫通孔１０８０を貫通することにより、第２ギヤー１０８と第２回転部材１０６を接続する。第３ギヤー１０９、１１０は、互いに噛み合い、かつ、第３ギヤー１０９は、第１ギヤー１０７と噛み合い、第３ギヤー１１０は、第２ギヤー１０８と噛み合う。
【００３２】
また、本実施例において、駆動部材１１１は、電動機である。このようにして、駆動部材１１１は、第１回転部材１０５と第１ギヤー１０７を駆動回転させることにより、第３ギヤー１０９、１１０と第２ギヤー１０８を連動回転させ、第２回転部材１０６を駆動回転させる。また、弾性部材１１２は、バネであるが、本発明は、これに限定されない、他の実施例において、駆動部材１１１は、他の駆動裝置であることもできる。また、弾性部材１１２は、例えば、弾性シートであってもよい。
【００３３】
例えば、駆動部材１１１は、第１当接部１０５２が第１位置決めユニット１０２３の第２エリア１０２３bから第１エリア１０２３a内に当接されるように、第１回転部材１０５を駆動回転させる場合に（すなわち、駆動部材１１１が時計回りの方向に沿って回転するように第１回転部材１０５を駆動する）、第１ギヤー１０７と、二つの第３ギヤー１０９、１１０と、第２ギヤー１０８を介して、第２回転部材１０６は、逆時計回りの方向に沿って回転するように駆動される（例えば、第２当接部１０６２が第２位置決めユニット１０２４の第２エリア１０２４bから第３エリア１０２４c内に当接するように回転される）。ここで、偶数の第３ギヤーにより、第１回転部材１０５と第２回転部材１０６の回転方向を確実に反対にすることで、遮蔽板１０１は、静止状態から離脱する際に、第１軸体１０３または第２軸体１０４の周りをスムーズに回転することができる。このため、本発明は、第１ギヤー１０７、第２ギヤー１０８と第３ギヤーの総数は、偶数であればよい。あるいは、第３ギヤーを設けずに、第１ギヤー１０７と第２ギヤー１０８を直接に噛み合わせてもよい。
【００３４】
図４は、本発明に係る好適な実施例における空調装置の部分の動作を示す斜視図である。以下、図１〜図４を参照しながら、空調装置１０の動作過程を具体的に説明する。
【００３５】
本実施例において、駆動部材１１１は、第１当接部１０５２が第１位置決めユニット１０２３の第２エリア１０２３b内に当接されるように、第１回転部材１０５を駆動回転させ、かつ、第１ギヤー１０７と、第３ギヤー１０９、１１０と、第２ギヤー１０８を介して、第２当接部１０６２が第２位置決めユニット１０２４の第２エリア１０２４b内に当接されるように第２回転部材１０６を駆動回転させる場合に、第１回転部材１０５と第２回転部材１０６が、それぞれ第１軸体１０３と第２軸体１０４に固定され、第１軸体１０３と第２軸体１０４が、遮蔽板１０１に接続され、かつ、遮蔽板１０１が開口１０００を遮蔽する。このとき、空調装置１０は、非送風状態にある。
【００３６】
具体的には、このとき、第１回転部材１０５の第１接続部１０５３は、第１受容部１０２１内で第１軸体１０３に対応した一端に固定されると共に、第１軸体１０３の第１挿入ロッド１０３１を押し動かして第３受容孔１０１１を進入させ第１弾性部１０１３に弾接される。第２回転部材１０６の第２接続部１０６３は、第２軸体１０４に対応した一端に固定されると共に、第２軸体１０４の第２挿入ロッド１０４１を押し動かして第４受容孔１０１２を進入させ、第２弾性部１０１４に弾接される。このようにして、第１回転部材１０５と第２回転部材１０６は、同時に遮蔽板１０１に接続されることにより、遮蔽板１０１を本体１００に固定させ、開口１０００を遮蔽することができる。
【００３７】
本実施例において、駆動部材１１１は、第１当接部１０５２が第１位置決めユニット１０２３の第１エリア１０２３a内に当接されるように、第１回転部材１０５を駆動回転させ、かつ、第１ギヤー１０７と、第３ギヤー１０９、１１０と第２ギヤー１０８を介して、第２当接部１０６２が第２位置決めユニット１０２４の第３エリア１０２４c内に当接されるように第２回転部材１０６を駆動回転させる場合に、第２回転部材１０６が第２軸体１０４から離脱し、第１回転部材１０５が第１軸体１０３に固定され、第１軸体１０３が遮蔽板１０１に接続されることにより、第１方向D１に沿って遮蔽板１０１を連動回転させる。このとき、空調装置１０は、暖房運転モードにある。すなわち、図４に示すように、空調装置１０は、第１方向D１に沿って遮蔽板１０１を開き温風を吹き出す。
【００３８】
具体的には、この時、第１回転部材１０５の第１接続部１０５３は、第１軸体１０３に対応した一端に固定されると共に、第１軸体１０３の第１挿入ロッド１０３１を押し動かして第３受容孔１０１１を進入させながら第１弾性部１０１３に当接される。このうち、第１位置決めユニット１０２３の第２エリア１０２３bの高さが、第１エリア１０２３aの高さより高いため、この時の第１軸体１０３が第１回転部材１０５によって移動された距離は、空調装置１０が非送風状態にある時の第１軸体１０３が第１回転部材１０５によって移動された距離より大きい。この時、第１軸体１０３に対応した一端上に凹孔が設けられれば、第１回転部材１０５が凹孔の底部に緊密に結合される。あるいは、第１回転部材１０５上に凹孔が設けられれば、第１軸体１０３が凹孔の底部に緊密に結合される。同様に、第１挿入ロッド１０３１も、第３受容孔１０１１に緊密に結合される。これにより、第１回転部材１０５と第１軸体１０３と遮蔽板１００は、緊密に固定されている。これにより、遮蔽板１０１は、駆動部材１１１の作用で第１軸体１０３を軸として回転することができる。
【００３９】
また、第２回転部材１０６の第２当接部１０６２は、第２位置決めユニット１０２４の第２エリア１０２４bから第３エリア１０２４cに当接されるように移動するため、第２回転部材１０６の第２接続部１０６３は、第２軸体１０４の一端から離脱する。同時に、第２軸体１０４の第２挿入ロッド１０４１も、第４受容孔１０１２の第２弾性部１０１４の作用で第４受容孔１０１２から離脱する。言い換えれば、第２軸体１０４は、遮蔽板１０１から離脱する。
【００４０】
本実施例において、第１回転部材１０５が第１方向D１に沿って遮蔽板１０１を連動回転させる範囲は、０〜９０度である。これにより、空調装置１０から送出した温風が下へ吹くため、冷風が排除される。
【００４１】
本実施例において、駆動部材１１１は、第１当接部１０５２が第１位置決めユニット１０２３の第３エリア１０２３c内に当接されるように、第１回転部材１０５を駆動回転させ、かつ、第１ギヤー１０７と、第３ギヤー１０９、１１０と第２ギヤー１０８を介して、第２当接部１０６２が第２位置決めユニット１０２４の第１エリア１０２４a内に当接されるように第２回転部材１０６を駆動回転させる場合に、第１回転部材１０５が第１軸体１０３から離脱し、第２回転部材１０６が第２軸体１０４に固定され、第２軸体１０４が遮蔽板１０１に接続されることにより、第２方向D２に沿って遮蔽板１０１を連動回転させる。このとき、空調装置１０が冷房運転モードにある。すなわち、空調装置１０は、第２方向D２に沿って、遮蔽板１１０を開き、冷風を吹き出す。このうち、第１方向D１と第２方向D２は、互いに逆方向である。
【００４２】
具体的には、この時、第２回転部材１０６の第２接続部１０６３は、第２軸体１０４に対応した一端に固定されると共に、第２軸体１０４の第２挿入ロッド１０４１を押し動かして第４受容孔１０１２を進入させながら第２弾性部１０１４に当接される。このうち、第２位置決めユニット１０２４の第２エリア１０２４bの高さが、第１エリア１０２４aの高さより高いため、この時の第２軸体１０４が第２回転部材１０６によって移動された距離は、空調装置１０が非送風状態にある時の第２軸体１０４が第２回転部材１０６によって移動された距離より大きい。このようにして、第２軸体１０４と第２回転部材１０６、そして第２挿入ロッド１０４１と第４受容孔１０１２は、それぞれ緊密に結合されている。これにより、遮蔽板１０１は、駆動部材１１１の作用で、第２軸体１０４を軸として回転することができる。
【００４３】
また、第１回転部材１０５の第１当接部１０５２は、第１位置決めユニット１０２３の第２エリア１０２３bから第３エリア１０２３cに当接されるように移動するため、第１回転部材１０５の第１接続部１０５３は、第１軸体１０３に対応した一端から離脱する。同時に、第１軸体１０３の第１挿入ロッド１０３１も、第３受容孔１０１１の第１弾性部１０１３の作用で、第３受容孔１０１１から離脱する。言い換えれば、第１軸体１０３は、遮蔽板１０１から離脱するということである。
【００４４】
本実施例において、第２回転部材１０６が第２方向D２に沿って遮蔽板１０１を連動回転させる範囲は、０〜４５度である。これにより、空調装置１０から送出した冷風が上へ吹くため、暖かい空気が排除される。
【００４５】
上述したように、本発明の好適な実施例における空調装置は、駆動部材と、第１回転部材と、弾性部材と、第１軸体と、第１受容孔とが、互いに対応して設けられ、駆動部材と、第１ギヤーと、第２ギヤーと、第３ギヤーと、第２回転部材と、第２軸体と、第２受容孔とが、互いに対応して設けられる。これにより、遮蔽板が第１軸体に沿って回転することにより暖房運転を実現し、第２軸体に沿って回転することにより冷房運転を実現する。このようにして、遮蔽板は、送風過程中に常に一方方向に送風するため、遮蔽ユニットが送風過程中における漏洩を回避することができる。
【００４６】
さらに、本発明の好適な実施例における空調装置は、駆動部材により第１方向に沿って遮蔽板を連動回転させると共に、第１ギヤーと、第３ギヤーと、第２ギヤーを介して、第２方向に沿って遮蔽板を連動回転させることにより、空調装置が暖房運転モード時と冷房運転モード時に、異なる送風方向と送風角度を有することができる。このうち、空調装置が暖房運転モード時の送風角度は、０〜９０度で、冷房運転モード時の送風角度は、０〜４５度である。したがって、空調装置の暖房運転モード時と冷房運転モード時の効率を向上することができる。
【００４７】
以上、本発明の実施例を図面を参照して詳述してきたが、具体的な構成は、これらの実施例に限られるものではなく、本発明の要旨を逸脱しない範囲の設計変更などがあっても、本発明に含まれる。
【産業上の利用可能性】
【００４８】
本発明は以上詳細に説明したように、二つの軸体を切り替えることにより吹出口を調節を行うことにより、温風と冷風が漏洩するのを防止できる空調装置として好適に用いられるものである。
【符号の説明】
【００４９】
１０  空調装置
１００  本体
１０１  遮蔽板
１０２  固定板
１０３  第１軸体
１０４  第２軸体
１０５  第１回転部材
１０６  第２回転部材
１０７  第１ギヤー
１０８  第２ギヤー
１０９、１１０  第３ギヤー
１１１  駆動部材
１１２  弾性部材
１０００  開口
１００１  第１受容孔
１００２  第２受容孔
１０１１  第３受容孔
１０１２  第４受容孔
１０１３  第１弾性部
１０１４  第２弾性部
１０２０、１０５１、１０７０、１０８０  貫通孔
１０２１  第１受容部
１０２２  第２受容部
１０２３  第１位置決めユニット
１０２４  第２位置決めユニット
１０３１  第１挿入ロッド
１０４１  第２挿入ロッド
１０５２  第１当接部
１０５３  第１接続部
１０６１  突部
１０６２  第２当接部
１０６３  第２接続部
１１１０  ロッド体
１０２３a、１０２４a  第１エリア
１０２３b、１０２４b  第２エリア
１０２３c、１０２４c  第３エリア
Ｄ１  第１方向
Ｄ２  第２方向
Ｒ  領域
【図１】
0005284498.tif 000002
【図２】
0005284498.tif 000003
【図３】
0005284498.tif 000004
【図４】
0005284498.tif 000005